(57)【特許請求の範囲】
【請求項１】
イジェクト用部材の操作でＩＣメモリーカードを排出するＩＣメモリーカード取扱機におけるイジェクト・ロック装置において、
装置全体への給電を制御する電源用スイッチ手段と、
前記イジェクト用部材のイジェクト操作をブロックするストッパーと一体的に移動されるプランジャーを、前記ストッパーが前記イジェクト操作をブロックするブロック位置側に切り換え移動させるソレノイド手段と、
前記プランジャーを、前記ストッパーが前記イジェクト操作をブロックしないアンブロック位置側へ移動付勢しているバネ手段と、
前記ソレノイド手段への給電をオン・オフ制御する常閉型のソレノイド用スイッチ手段と、
前記ブロック位置側に移動された前記プランジャーを前記ブロック位置でロックし、前記イジェクト用部材のイジェクト方向の操作でロックを解除可能なロック手段と、
前記プランジャーが前記ブロック位置に切り換えられると前記ソレノイド用スイッチ手段をオフさせ、前記イジェクト用部材のイジェクト方向の操作に連動して前記ソレノイド用スイッチ手段をオンさせるカム手段とを設けるとともに、
前記電源用スイッチ手段と前記ソレノイド手段を電源に対して直列に接続したことを特徴とするＩＣメモリーカード取扱機におけるイジェクト・ロック装置。
【請求項２】
前記イジェクト用部材によるイジェクト方向の操作に連動した前記ロック手段の解除は、前記カム手段により前記ソレノイド用スイッチ手段がオンされた後に行われる
ことを特徴とする請求項１に記載のＩＣメモリーカード取扱機におけるイジェクト・ロック装置。
【請求項３】
前記ストッパーに、前記イジェクト用部材の押圧で変形可能な弾性部材を用いた請求項１または２に記載のＩＣメモリーカード取扱機におけるイジェクト・ロック装置。
【請求項４】
前記ソレノイド用スイッチ手段として、マイクロスイッチとカムを用いた請求項１、２または３に記載のＩＣメモリーカード取扱機におけるイジェクト・ロック装置。
【発明の詳細な説明】
【０００１】
【発明の属する技術分野】
本発明は、例えば情報処理機器等に搭載されるＩＣメモリーカード取扱機におけるイジェクト・ロック装置に関するものである。
【０００２】
【従来の技術】
情報処理機器等で使用されるＩＣメモリーカードは、所定の位置でコネクタに差し込まれて取り付けられており、取り外す場合には、一般に、イジェクトボタンを押して排出する構造になっている。しかしながら、ＩＣメモリーカードの動作状態中に排出されると、カード内の情報を破壊する虞がある。このため、従来のイジェクト機構では、ＩＣメモリーカードの動作中における排出を防止するのに、イジェクト・ロック装置を設けたものもある。
【０００３】
図８及び図９は従来のイジェクト・ロック装置の一例を示すもので、図８はその上面図、図９はその正面図である。
図８及び図９において、符号５１はＩＣメモリーカードである。５２はＩＣメモリーカード５１が差し込まれるカードコネクタ部で、図８中の矢印７０方向にＩＣメモリーカードを抜き差し可能で、また図示していないが奥にはＩＣメモリーカード５１の端子と電気結合されるコネクタが取り付けられている。
【０００４】
５３はイジェクト用の回動部材で、この回動部材５３は枢軸５４を介してカードコネクタ部５２に回動可能に取り付けられている。また、この回動部材５３の一端５３ａはＩＣメモリーカード５１の移動通路内に突出され、他端５３ｂはカードコネクタ部５２の側面に突出されている。
【０００５】
５５はイジェクト用のスライド操作部材で、このスライド操作部材５５はカードコネクタ部５２のガイド部５２ａにより前後方向スライド自在に保持されている。また、一端（前面側）５５ａ側にはイジェクトボタン５６が取り付けられ、他端５５ｂはカードコネクタ部５２の背面側まで延ばされている。さらに、スライド部材５５の中間部分には回動部材５３の他端５３ｂと対応して段差５５ｃが設けられ、この段差５５ｃが回動部材５３の他端５３ｂと当接結合可能な状態になっている。
【０００６】
５７はソレノイドで、スライド操作部材５５のスライド領域内とスライド領域外とに移動可能なストッパー６０（図９参照）を先端に取り付けているプランジャー５８と、このプランジャー５８を上記スライド領域外の方向に移動付勢している復帰用バネ部材５９とを備えており、ソレノイド５７に通電するとプランジャー５８を上記スライド領域内にバネ部材５９の付勢に抗して突出させておくことができる。
【０００７】
図１０はイジェクト・ロック装置の回路ブロック図である。この回路構成では、上記ソレノイド５７の他に、電源６１、スイッチ６２、コントロール回路部６３を備えている。
【０００８】
次に、このように構成されたイジェクト・ロック装置の動作を説明する。まず、ＩＣメモリーカード５１がカードコネクタ部５２に差し込まれると、その途中でメモリーカード５１の先端に回動部材５３の一端５３ａが当接される。さらに差し込むと、回動部材５３が図８中の時計回り方向に枢軸５４を支点として回転し、同時にスライド操作部材５５を前側に押し出す。最終位置では、ＩＣメモリーカード５１は図示せぬコネクタに電気接続される。
次いで、電源６１用のスイッチ６２がオンされると、コントロール回路部６３に電流が流されるとともにソレノイド５７にも電流が流れ、プランジャー５８がＸ１（図９参照）の距離突出し、ストッパー６０がスライド操作部材５５の後部を遮る。これにより、イジェクトボタン５６を介してスライド操作部材５５を後方へ押し込もうとしても、先端がストッパー６０と衝突して押し込むことができない。すなわち、イジェクト・ロック状態となる。図８及び図９は、このイジェクト・ロック状態で示している。
【０００９】
一方、ＩＣメモリーカード５１をイジェクトする場合は、スイッチ６２をオフする。すると、コントロール回路部６３への給電が断たれると同時に、ソレノイド５７への給電も断たれる。すると、復帰用バネ部材５９の力により、プランジャー５８がストッパー６０と共に上記スライド領域外に移動される。すなわち、図９中のＸ１の距離だけ戻る。
次いで、イジェクトボタン５６を押すと、スライド操作部材５５は後方に押すことができる。また、スライド操作部材５５が後方に移動されるとき、回動部材５３の他端側が押され、枢軸５４を支点として回動部材５３を図８中の反時計回り方向に回転させる。そして、スライド操作部材５５は図８中のＸ２の距離押すことができ、これに伴う回動部材５３の回転で、この回動部材５３の一端５３ａ側でＩＣメモリーカード５１の先端側がイジェクト方向（前側）に押され、ＩＣメモリーカード５１が途中まで排出される。また、この後は、人手により引き出される。
【００１０】
【発明が解決しようとする課題】
しかしながら、上述した従来のイジェクト・ロック装置では、ＩＣメモリーカード５１を動作させているコントロール回路部６３に給電している間、ソレノイド５７への給電を続けている構成になっている。このため、長時間使用しているとソレノイド５７が発熱する。したがって、この周辺実装部品についても耐熱性を高める必要があるので設計が難しく、また高価な部品を使用する必要があることから、コストが高くなっている問題点があった。さらに、電源６１として電池等を用いている場合には、ソレノイド５７の消費電力も含めた大容量の電源を必要とし、機器の小型化や軽量化の妨げともなっていた。
【００１１】
本発明は、上記問題点に鑑みてなされたものであり、その目的は機器の小型化や軽量化を実現することが可能なＩＣメモリーカード取扱機におけるイジェクト・ロック装置を提供することにある。
【００１２】
【課題を解決するための手段】
上記目的を達成するため本発明は、イジェクト用部材の操作でＩＣメモリーカードを排出するＩＣメモリーカード取扱機におけるイジェクト・ロック装置において、装置全体への給電を制御する電源用スイッチ手段と、前記イジェクト用部材のイジェクト操作をブロックするストッパーと一体的に移動されるプランジャーを、前記ストッパーが前記イジェクト操作をブロックするブロック位置側に切り換え移動させるソレノイド手段と、前記プランジャーを、前記ストッパーが前記イジェクト操作をブロックしないアンブロック位置側へ移動付勢しているバネ手段と、前記ソレノイド手段への給電をオン・オフ制御する常閉型のソレノイド用スイッチ手段と、前記ブロック位置側に移動された前記プランジャーを前記ブロック位置でロックし、前記イジェクト用部材のイジェクト方向の操作でロックを解除可能なロック手段と、前記プランジャーが前記ブロック位置に切り換えられると前記ソレノイド用スイッチ手段をオフさせ、前記イジェクト用部材のイジェクト方向の操作に連動して前記ソレノイド用スイッチ手段をオンさせるカム手段とを設けるとともに、前記電源用スイッチ手段と前記ソレノイド手段を電源に対して直列に接続して成る構成としたものである。
【００１３】
この構成によれば、ソレノイド手段によりプランジャーがバネ手段の付勢力に打ち勝ってストッパーと共にブロック位置に切り換え移動されると、プランジャー及びストッパーがロック手段によりブロック位置で保持されるとともに、ソレノイド用スイッチ手段がオフしてソレノイドへの給電が断たれる。したがって、プランジャー及びストッパーがブロック位置に移動されたら、その後はロック手段により保持し、ソレノイドへの給電は断たれるので、電力消費は無くなる。
また、プランジャー及びストッパーがブロック位置に移動されている状態において、イジェクト用の部材によりロック手段のロックが解除されようとするとソレノイド用スイッチ手段がオンする。このとき、電源用スイッチがオンしている場合はソレノイド手段に電流が流れてプランジャー及びストッパーをそのままブロック位置に保持して、それ以上、イジェクト部材がイジェクト動作が行われるのをブロックする。これに対して、電源用スイッチがオフしている場合はソレノイド手段には電流が流れず、バネ手段の付勢力でプランジャー及びストッパーがアンブロック位置に移動し、イジェクト用の部材のイジェクト動作を許容する。よって、電源が断たれているときだけ、イジェクト用の部材のイジェクト操作を許容することになるので、ＩＣメモリーカードの動作状態中に排出するのを防ぐことができる。
【００１４】
【発明の実施の形態】
図２及び図３本発明に係るＩＣメモリーカード取扱機におけるイジェクト・ロック装置の一形態例を示すもので、図２はその装置の全体構成をイジェクトロック状態で概略的に示す上面図、図３はその正面図である。また、図１は図２及び図３に示した同上装置の要部拡大斜視図で、図４と図５は同上装置の要部を示す図である。
【００１５】
図１乃至図５において、符号１はＩＣメモリーカードである。２はＩＣメモリーカード１が差し込まれるカードコネクタ部で、図２中の矢印４０方向にＩＣメモリーカードを抜き差し可能で、また図示していないが奥にはＩＣメモリーカード１の端子と電気結合されるコネクタが取り付けられている。
【００１６】
３はイジェクト用の回動部材で、この回動部材３は枢軸４を介してカードコネクタ部２に回動可能に取り付けられている。また、この回動部材３の一端３ａはＩＣメモリーカード１の移動通路内に突出され、他端３ｂはカードコネクタ部２の側面に突出されている。
【００１７】
５はイジェクト用のスライド操作部材で、このスライド操作部材５はカードコネクタ部２のガイド部２ａにより前後方向スライド自在に保持されている。また、一端（前面側）５ａ側にはイジェクトボタン６が取り付けられ、他端５ｂはカードコネクタ部２の背面側近くまで延ばされている。さらに、スライド部材５の中間部分には回動部材３の他端３ｂと対応して段差５ｃが設けられ、この段差５ｃが回動部材３の他端３ｂと当接結合可能な状態になっている。
【００１８】
７はソレノイドで、スライド操作部材５のスライド領域内（以下、これを「ブロック位置」と言う）とスライド領域外（以下、これを「アンブロック位置」と言う）とに移動可能なストッパー１０（図１参照）を先端に取り付けているプランジャー８と、このプランジャー８を「アンブロック位置」の方向に移動付勢している復帰用バネ部材９と、ストッパー１０と共に「ブロック位置」に配置されたプランジャー８を「ブロック位置」に保持しておくためのロック部材１２を備えており、ソレノイド７に通電すると復帰用バネ部材９の力に打ち勝ってプランジャー８をストッパー１０と共に「ブロック位置」に移動させることができる構造になっている。
【００１９】
ソレノイド７の周辺部分における構造をさらに説明すると、ストッパー１０は弾性変形可能な板材で形成されており、基端側はプランジャー８の先端にリベット１３で固定され、片面１０ａがスライド操作部材５と略直角に交差する状態にして配置されている。また、ストッパー１０の先端側には係止爪１４が取り付けられている。この係止爪１４は、先端側が尖り、途中が傾斜面１４ａとなり、後端には直角な係止面１４ｂを有した断面略くさび状に形成されている。さらに、ストッパー１０の上部先端側にはスイッチ制御用カム部材１５が取り付けられている。このスイッチ制御用カム部材１５は、ストッパー１０の先端に延長された状態にして設けられている第１のカム面１５ａとストッパー１０の片面１０ａから前方（スライド操作部材５が押し進んで来る方向）に突き出して設けられている第２のカム面１５ｂとが形成されており、これら第１のカム面１５ａと第２のカム面１５ｂは共に先端側に向かうに従って緩やかにカーブを描いて下る曲面として形成されている。
【００２０】
なお、スイッチ制御用カム部材１５と対応する位置にはアクチュエータレバー１８が付いた常閉（ノーマルクローズ）型のマイクロスイッチ１７が装置本体（不図示）に固定して設けられている。また、アクチュエータレバー１８の先端にはスイッチ制御用カム部材１５に当接可能なローラ１９が取り付けられている。そして、このスイッチ制御用カム部材１５は、ソレノイド７が駆動されてストッパー１０がプランジャー８と共に「ブロック位置」側に移動されると、この「ブロック位置」に配置される直前で第１のカム面１５ａにローラ１９が当接し、さらに移動されると第１のカム面１５ａをローラ１９が乗り上げて止まり、アクチュエータレバー１８を介してマイクロスイッチ１７を開（オフ）させる。また、スライド操作部材５がイジェクト動作方向に押し込まれて、係止爪１４が係止部１６から外れる方向にストッパー１０を弾性変形させると、第２のカム面１５ｂ上を下ってアクチュエータレバー１８を下側に戻し、マイクロスイッチ１７を再び閉（オン）させることができる構造になっている。
【００２１】
ロック部材１２は、プランジャー８と略平行に配設されて、一端１２ａがソレノイド７に固定されている。また、他端１２ｂはプランジャー８側に略直角に折り曲げられ、この他端１２ｂの先端に係止部１６が形成されている。この係止部１６はストッパー１０の係止爪１４と対応して設けられており、ソレノイド７が駆動されてストッパー１０がプランジャー８と共に「ブロック位置」側に移動されると、この「ブロック位置」に配置される直前で傾斜面１４ａが係止部１６の内側エッジ部分に当接し、さらに移動が進むとストッパー１０を撓ませて係止爪１４が逃げながら進む。また、「ブロック位置」に到達する直前で係止爪１４が係止部１６を通過し終わるように設定されており、通過し終わるとストッパー１０の弾性で自己復帰され、係止爪１４の係止面１４ｂが係止部１６と係合される「ロック位置」に移動する。そして、この「ロック位置」に配置された状態になると、プランジャー８が「アンブロック位置」に復帰しようとしても、係止面１４ｂと係止部１６との係合で復帰が阻止される。なお、このロックを解除するには、スライド操作部材５をイジェクト動作方向に押し込み、係止爪１４が係止部１６から外れる位置までストッパー１０を弾性変形させると解除することができる。
【００２２】
図６はイジェクト・ロック装置の回路ブロック図である。この回路構成では、上記ソレノイド７，マイクロスイッチ１７の他に、電源１９、電源用スイッチ２０、コントロール回路部２１を備えており、ソレノイド７と電源用スイッチ２０とマイクロスイッチ１７は電源１９に対して直列接続されている。
【００２３】
図７は図１乃至図６に示したイジェクト・ロック装置における動作タイムチャートである。そこで、次に本形態例におけるイジェクト・ロック装置の動作を動作タイムチャートを加えて説明する。
まず、電源スイッチ２０がオフの状態でＩＣメモリーカード１をカードコネクタ部２に差し込む。すると、その途中でＩＣメモリーカード１の先端に回動部材３の一端３ａが当接される。さらに差し込むと、回動部材３が図２中の時計回り方向に枢軸４を支点として回転し、同時にスライド操作部材５を前側に押し出す。最終位置では、ＩＣメモリーカード１は図示せぬコネクタに電気接続される。
【００２４】
次いで、電源１９用のスイッチ２０がオンされると、コントロール回路部２１に電流が流される。また、プランジャー８は復帰用バネ部材９の付勢力で「アンブロック位置」にストッパー１０と共に移動されていて、ローラ１９とスイッチ制御用カム部材１５とは離れた位置にあり、マイクロスイッチ１７はオンになっている。したがって、スイッチ２０がオンされると、ソレノイド７にも電流が流れ、復帰用バネ部材９の付勢力に打ち勝ってプランジャー８がＸ３（図３参照）の距離突出し、ストッパー１０がスライド操作部材５の後部を遮るとともに、係止部１６に係止爪１４が係合される。また、プランジャー８が「ブロック位置」に移動する途中でスイッチ制御用カム部材１５の第１のカム面１５ａにローラ１９が当接され（図３参照）、続いて乗り上げてマイクロスイッチ１７がオフになり（図３参照）、ソレノイド７への給電を断つ。ソレノイド７への給電を断つと、復帰用バネ部材９の付勢力でプランジャー８が「アンブロック位置」側に移動されようとするが、係止部１６と係止爪１４が係合されているので移動することが出来ず、この「アンブロック位置」で保持される。
【００２５】
また、このスイッチ２０がオンされている状態、すなわちＩＣメモリーカード１が動作されている状態で、イジェクトボタン６を介してスライド操作部材５を後方へ押し込もうとすると、スライド操作部材５の先端５ｂがストッパー１０と衝突する。さらに押し込むと、このストッパー１０を後方に撓ませて図２中のＸ６の距離動かし、係止部１６と係止爪１４の係合を解除させることができるが、この係合が解除されるのに伴ってローラ１９が第２のカム面１５ｂを下り、マイクロスイッチ１７が再びオンになる。したがってプランジャー８はストッパー１０と共に「ブロック位置」に保持されたまま移動しない。このため、それ以上、スライド操作部材５を押し込むことは出来ず、ＩＣメモリーカード１を排出させるまでには至らない。そして、イジェクトボタン６の押し込みを解除すると、ストッパー１０の弾性復帰力でスライド操作部材５も押し戻されるとともに、係止爪１４が再び係止部１６に係合された状態に戻り、マイクロスイッチ１７もローラ１９が第２のカム面１５ｂを上ることによって再びオフになる。図１乃至図４は、このイジェクト・ロック状態を示している。
【００２６】
一方、ＩＣメモリーカード１をイジェクトする場合は、電源スイッチ２０をオフする。すると、コントロール回路部２１への給電が断たれる。次いでイジェクトボタン６を介してスライド操作部材５を後方へ押し込むと、スライド操作部材５の先端５ｂがストッパー１０と衝突し、さらに押し込むとストッパー１０を後方に撓ませて図２中のＸ４の距離動かし、係止部１６と係止爪１４の係合を解除させる。すると、このときマイクロスイッチ１７はオンされるが、電源スイッチ２０がオフになっているのでソレノイド７には電源が流れない。したがって、復帰用バネ部材９の力により、プランジャー８がストッパー１０と共に「アンブロック位置」に移動される。すなわち、図５中のＸ３の距離だけ戻る。
次いで、イジェクトボタン６をさらに押すと、スライド操作部材５もさらに後方に押すことができる。また、スライド操作部材５が後方に移動されるとき、回動部材３の他端３ｂ側が押され、枢軸４を支点として回動部材３を図２中の反時計回り方向に回転させる。そして、スライド操作部材５は図２中のＸ４の距離押すことができ、これに伴う回動部材３の回転で、この回動部材３の一端３ａ側でＩＣメモリーカード１の先端側がイジェクト方向（前側）に押され、ＩＣメモリーカード１が途中まで図２中のＸ５の距離排出される。また、この後は、人手により引き出される。
【００２７】
したがって、この形態例に示したイジェクト・ロック装置の構成によれば、ソレノイド７によりプランジャー８が復帰用バネ部材９の付勢力に打ち勝ってストッパー１０と共に「ブロック位置」に切り換え移動されると、プランジャー８及びストッパー１０が係止爪１４と係止部１６とでなるロック手段により「ブロック位置」で保持されるとともに、ソレノイド用のマイクロスイッチ１７がオフしてソレノイド７への給電が断たれる。その後はロック手段（１４，１６）により保持し、ソレノイド７への給電は断たれるので、この間の電力消費は無くなる。また、プランジャー８及びストッパー１０が「ブロック位置」に移動されている状態において、イジェクト用のスライド操作部材５によりロック手段（１４，１６）のロックが解除されようとするとソレノイド用マイクロスイッチ１７がオンすることになり、電源用スイッチ２０がオンしている場合はソレノイド７に電流が流れてプランジャー８及びストッパー１０をブロック位置に保持して、それ以上、イジェクト用のスライド操作部材５によるイジェクト動作が行われるのをブロックする。これに対して、電源用スイッチ２０がオフしている場合はソレノイド７には電流が流れず、復帰用バネ部材９の付勢力でプランジャー８及びストッパー１０が「アンブロック位置」に移動し、スライド操作部材５によるイジェクト動作を許容することになる。よって、電源が断たれているときだけ、スライド操作部材５のイジェクト操作を許容することになるので、ＩＣメモリーカード１の動作状態中に排出するのを防ぎ、カード内の情報を破壊したりする問題を確実に無くすことができる。
【００２８】
【発明の効果】
以上説明したとおり、本発明によれば、電力消費を少なくすることができるので、電源として電池等を用いている場合でも小容量の電源で済み、機器の小型化や軽量化が可能になる。
また、ソレノイドに通電している時間も少ないので発熱もほとんど無く、耐熱性部品等を用いる必要もなくなることから安価な部品が使用でき、さらに設計も簡単になり、コストを下げて安価に提供することができる。
加えて、電源が断たれているときだけ、イジェクト部材のイジェクト操作を許容することになるので、ＩＣメモリーカードの動作状態で排出するのを確実に防いで、カード内の情報の破壊を無くすことができる。
さらに、ソレノイドの通電が一時的で良いため、通電電流値を上げてより強力な移動を行わせ、動作の安定化を高めることも可能になる、等の効果が期待できる。
【図面の簡単な説明】
【図１】本発明に係る一実施形態例装置の要部拡大斜視図である。
【図２】本発明に係る一実施形態例装置の全体構成を概略的に示す上面図である。
【図３】本発明に係る一実施形態例装置の全体構成を概略的に示す正面図である。
【図４】本発明に係る一実施形態例装置の要部を示す図である。
【図５】本発明に係る一実施形態例装置の要部を示す図である。
【図６】本発明に係る一実施形態例装置の回路ブロック図である。
【図７】本発明に係る一実施形態例装置の動作タイムチャートである。
【図８】従来装置の一例を示す概略全体構成図である。
【図９】従来装置の全体構成を正面側より見て概略的に示す図である。
【図１０】従来装置の回路ブロック図である。
【符号の説明】
１  ＩＣメモリーカード              ２    カードコネクタ部
３    イジェクト用の回動部材          ５    イジェクト用のスライド操作部材
６    イジェクトボタン                ７    ソレノイド
８    プランジャー                    ９    復帰用バネ部材
１０    ストッパー                  １４  係止爪
１５  スイッチ制御用カム部材      １５ａ  第１のカム面
１５ｂ  第２のカム面              １６  係止部
１７  マイクロスイッチ            ２０  電源用スイッチ
【図１】
0003615610.tif 000002
【図２】
0003615610.tif 000003
【図３】
0003615610.tif 000004
【図４】
0003615610.tif 000005
【図５】
0003615610.tif 000006
【図６】
0003615610.tif 000007
【図７】
0003615610.tif 000008
【図８】
0003615610.tif 000009
【図９】
0003615610.tif 000010
【図１０】
0003615610.tif 000011